(57)【要約】【課題】電極の交換ができるうえに、オゾン発生効率の向上も実現できるチューブ型のオゾン発生装置を提供する。【解決手段】チューブ型のオゾン発生装置１である。オゾン発生ユニット３０は、放電ギャップ３６を隔てて外側電極管３１の内側に配置される放電管３２を有している。放電管３２は、誘電体管３３と、誘電体管３３に設置された筒状の電極膜３４と、電極膜３４に給電する給電子４０とを有している。弾性を有する導体３５を、誘電体管３３に螺旋状にずらしながら配置することにより、電極膜３４が形成されている。【選択図】図６
2015151310.tif 000002
【特許請求の範囲】
【請求項１】
チューブ型のオゾン発生装置であって、
筒状の外側電極管と、
放電ギャップを隔てて前記外側電極管の内側に配置される放電管と、
を有するオゾン発生ユニットを備え、
前記放電管は、
少なくとも一方の端部に開口を有する筒状の誘電体管と、
前記誘電体管の内周面に密接して設置された筒状の電極膜と、
外部電源に接続されて前記電極膜に給電する給電子と、
を有し、
弾性を有する導体を、前記誘電体管の長手方向に螺旋状にずらしながら配置することにより、前記電極膜が形成されているオゾン発生装置。
【請求項２】
請求項１に記載のオゾン発生装置において、
前記電極膜は、それ自体の弾性力で前記誘電体管の内部で拡がることによって当該誘電体管の内周面に密接しているオゾン発生装置。
【請求項３】
請求項２に記載のオゾン発生装置において、
前記電極膜は、前記導体を二重以上に重ねて螺旋状にずらしながら配置することにより形成されているオゾン発生装置。
【請求項４】
請求項１に記載のオゾン発生装置において、
前記電極膜は、前記開口からはみ出た露出端部を有するオゾン発生装置。
【請求項５】
請求項４に記載のオゾン発生装置において、
前記給電子は、
前記電極膜の内側に設置される内側クリップと、
前記電極膜の外側に設置される外側クリップと、
を有し、
前記内側クリップと前記外側クリップとにより、前記露出端部が挟み込まれているオゾン発生装置。
【発明の詳細な説明】
【技術分野】
【０００１】
本発明は、チューブ型のオゾン発生装置に関し、その中でも特に放電管の構造に関する。
【背景技術】
【０００２】
オゾンは、強力な酸化作用があり、作用後には無害な酸素等に分解する。そのため、オゾンは、半導体製造や食品製造、水処理等の分野で、洗浄や殺菌、脱臭等の処理に多用されている。
【０００３】
このようなオゾンを発生するオゾン発生装置の多くには、無声放電方式が採用されている。
【０００４】
無声放電方式のオゾン発生装置では、誘電体を介して対向する一対の電極間に空隙（放電ギャップ）が設けられている。一対の電極間に高電圧を印加すると、放電ギャップで無声放電が発生する。放電ギャップに酸素を含む原料ガスを流すことで、原料ガスがオゾン化し、オゾンが発生する。
【０００５】
このような無声放電方式を採用したオゾン発生装置に、チューブ型のオゾン発生装置がある。チューブ型のオゾン発生装置では、オゾンを発生するユニットを構成する誘電体に、管形状をした放電管が使用されている。チューブ型のオゾン発生装置の場合、複数の放電管を平行に密集させて配置できるため、大型化し易い利点がある。
【０００６】
チューブ型のオゾン発生装置における放電管の構造は、例えば特許文献１や特許文献２に開示されている。
【０００７】
特許文献１のオゾン発生装置には、一端が球面状に閉じられた円筒状のガラス製の誘電体管が設けられている。その誘電体管の内面、具体的には、誘電体管における球面状の端部から側部にわたる部分の内面には、第１の電極が形成されている。
【０００８】
誘電体管の外側を囲むように円筒状の第２の電極が配置されており、誘電体管と第２の電極との間に放電ギャップが形成されている。
【０００９】
原料ガスは、高電圧が印加された放電ギャップを通過する間にオゾン化する。オゾン化したガスは、球面状の端部が位置するオゾン化ガス導出口から導出される。
【００１０】
特許文献２にも、特許文献１の第１の電極と同様にメタライズされた導電膜が開示されている。
【先行技術文献】
【特許文献】
【００１１】
【特許文献１】特開２０１２−１４４４２５号公報
【特許文献２】ＷＯ−Ａ１−２０１００２１０２２
【発明の概要】
【発明が解決しようとする課題】
【００１２】
従来の電極は、誘電体管の内周面にメタライズによって形成されているため、誘電体管から分離できない構造となっている。従って、電極の交換が必要になった場合には、誘電体管ごと交換せざるを得ない。メタライズによる電極形成は、特殊性が高く、生産性に欠ける不利がある。
【００１３】
そこで、本発明の目的は、電極の交換ができるうえに、電極の形成が容易であるチューブ型のオゾン発生装置を提供することにある。
【００１４】
なお、本出願人は、本発明に関連する発明を先に提案している（特願２０１２−２５３６０６）。
【課題を解決するための手段】
【００１５】
本発明に係るチューブ型のオゾン発生装置に備えられるオゾン発生ユニットは、筒状の外側電極管と、放電ギャップを隔てて前記外側電極管の内側に配置される放電管と、を有している。前記放電管は、少なくとも一方の端部に開口を有する筒状の誘電体管と、前記誘電体管の内周面に密接して設置された円筒状の電極膜と、外部電源に接続されて前記電極膜に給電する給電子と、を有している。
【００１６】
そして、弾性を有する導体を、前記誘電体管の長手方向に螺旋状にずらしながら配置することにより、前記電極膜が形成されている。
【００１７】
このオゾン発生装置によれば、誘電体管内に設置される円筒状の電極膜が取り外し可能な状態で誘電体管に挿入されている。従って、電極膜を誘電体管から取り外して交換することができる。
【００１８】
しかも、その電極膜は、弾性を有する導体を用いて、誘電体管に螺旋状に配置することによって形成されているので、開口が小さくて全長が長い誘電体管でも容易に設置することができる。
【００１９】
すなわち、弾性を有する導体であれば、例えば細長いガイド棒に対して位置をずらしながら螺旋状に巻き付けることで細長い円筒状にすることができる。そうして、導体を巻き付けたガイド棒を誘電体管に挿入し、導体の拘束を解いてガイド棒から導体を解き放すことで、導体がそれ自体の弾性力によって拡がるため、誘電体管の内周面に密接する円筒状の電極膜を形成することができる。この場合、ガイド棒を導体を解き放った後、ガイド棒は不要となる。従って、ガイド棒の分、関連発明よりも軽量化が可能となる。
【００２０】
更に、前記電極膜は、それ自体の弾性力で前記誘電体管の内部で拡がることによって当該誘電体管の内周面に密接していることが好ましい。
【００２１】
電極膜自体の弾性力を利用することにより、電極膜に外力を加えることなく、電極膜が誘電体管の内周面に密接するため、装置の形成がさらに容易である。
【００２２】
また、前記電極膜は、前記導体を二重以上に重ねて螺旋状にずらしながら配置することが好ましい。
【００２３】
導体を二重以上に重ねることにより、導体が誘電体内部で拡がりやすくなり、より確実に電極膜を誘電体内周面に密接させることができる。
【００２４】
また、前記電極膜は、前記開口からはみ出た露出端部を有するとよい。
【００２５】
このオゾン発生装置では、誘電体管の内周面に、メタライズではなく導体を密接して電極膜を形成しているため、電極膜の誘電体管長手方向の長さを調整すれば、簡単に露出端部を設けることができる。露出端部を設けることにより、複数のオゾン発生ユニットそれぞれを電気的に接続する際に、露出端部同士を電気的に接続すればよい。すなわち、オゾン発生ユニット同士の電気的な接続を簡単に行うことができる。
【００２６】
更に、前記給電子は、前記電極膜の内側に設置される内側クリップと、前記電極膜の外側に設置される外側クリップと、を有し、前記内側クリップと前記外側クリップとにより、前記露出端部が挟み込まれているようにするのが好ましい。
【００２７】
この場合、電極膜の露出端部が、内側クリップと外側クリップとで挟み込まれているので、電極膜と給電子とを直接的かつ均一に接触させることができ、電極膜に安定して給電することができる。
【発明の効果】
【００２８】
本発明のオゾン発生装置によれば、電極が容易に交換できるうえに、電極形成が容易になる。
【図面の簡単な説明】
【００２９】
【図１】第１実施形態のチューブ型のオゾン発生装置を示す概略斜視図である。
【図２】オゾン発生装置の内部構造を示すために一部を省略した概略側面図である。
【図３】図２におけるＸ-Ｘ線での概略断面図である。
【図４】オゾン発生ユニットの構造を示す概略断面図である。
【図５】（ａ），（ｂ）は、電極膜の設置過程を示す概略図である。
【図６】（ａ），（ｂ）は、電極膜の設置過程を示す概略図である。
【図７】給電子の分解斜視図である。
【図８】給電子間の接続パターンの一例を示す概略図である。
【図９】外側クリップ対を示す概略図である。（ａ）は平面図、（ｂ）は正面図である。
【図１０】接続端子を示す概略図である。
【図１１】給電子間の接続構造を示す概略図である。（ａ）は平面図、（ｂ）は後部の図示を省略した正面図である。
【図１２】第２実施形態のオゾン発生装置に用いられる架設クリップを示す概略図である。（ａ）は平面図、（ｂ）は正面図である。
【図１３】接続端子付き架設クリップを示す概略図である。（ａ）は平面図、（ｂ）は正面図である。
【図１４】第２実施形態における給電子間の接続構造を示す概略図である。（ａ）は平面図、（ｂ）は後部の図示を省略した正面図である。
【図１５】（ａ）は、外側クリップの変形例を示す平面図、（ｂ）は、架設クリップの変形例を示す正面図である。
【発明を実施するための形態】
【００３０】
以下、本発明の実施形態を図面に基づいて詳細に説明する。ただし、以下の説明は、本質的に例示に過ぎず、本発明、その適用物あるいはその用途を制限するものではない。
【００３１】
（オゾン発生装置の構成）
図１に、本実施形態のチューブ型のオゾン発生装置１を示す。オゾン発生装置１には、装置本体２や、装置本体２と協働する制御機器や操作盤等からなる付帯設備３などが備えられている。
【００３２】
装置本体２は、耐腐食性に優れたステンレス製の耐圧容器であり、その内部でオゾンが生成される。装置本体２は、円筒状の胴部１１と、胴部１１の両端を塞ぐ２つの蓋部１２とを有している。装置本体２は、横置きされた状態で一対の脚部１３，１３によって支持されている。蓋部１２の一方は、胴部１１にヒンジを介して取り付けられており、開閉可能な扉とされている。
【００３３】
装置本体２には、原料ガス配管１４やオゾン配管１５、冷却配管１６などが接続されている。具体的には、原料ガス配管１４は、図外の原料ガス供給源に接続されており、酸素や空気等の原料ガスが原料ガス配管１４を通じて装置本体２に供給される。オゾン配管１５は、図外のオゾンの供給先に接続されており、装置本体２で生成されたオゾンがオゾン配管１５を通じてその供給先に送られる。
【００３４】
冷却配管１６は、入水用及び出水用の２つの冷却配管１６ａ，１６ｂがあり、それぞれ図外の熱交換器等に接続されている。装置本体２には、これら冷却配管１６ａ，１６ｂを通じて冷却水が循環供給される。
【００３５】
図２に示すように、装置本体２の内部は、ステンレス製の２枚の区画板１７，１７によって原料ガス室１８、冷却室１９及びオゾン室２０に区画されている。原料ガス室１８は、装置本体２の一方の端部に配置されており、原料ガス配管１４と連通している。オゾン室２０は、装置本体２の他方の端部に配置されており、オゾン配管１５と連通している。
【００３６】
冷却室１９は、原料ガス室１８とオゾン室２０の間に位置し、装置本体２の大部分を占めている。冷却室１９は、オゾン室２０側の下隅部分で入水用の冷却配管１６ａと連通し、原料ガス室１８側の上隅部分で出水用の冷却配管１６ｂと連通している。冷却室１９の内部には、複数の規制板２１が所定の間隔で設置されている。これら規制板２１により、冷却室１９の内部は上下互い違いに区画され、冷却水が蛇行して流れるように設計されている。
【００３７】
装置本体２の内部には、複数のオゾン発生ユニット３０が、冷却室１９を横切り、胴部１１の長手方向に沿って平行に延びるように設置されている。
【００３８】
図３に示すように、各オゾン発生ユニット３０は、密集した状態で配置されている。詳しくは、隣り合って位置するオゾン発生ユニット３０の間のピッチが同じ長さとなるように、三角配置されている。これらオゾン発生ユニット３０の各々において、原料ガスからオゾンが生成される。
【００３９】
図４に、オゾン発生ユニット３０の詳細を示す。オゾン発生ユニット３０は、外側電極管３１と放電管３２とで構成されている。
【００４０】
外側電極管３１は、円筒状のステンレス管からなり、その各端部は、各区画板１７に隙間無く接合されている。外側電極管３１は、区画板１７を介して電気的に接地されており、低電圧側の電極を構成している。外側電極管３１の周囲は冷却水によって満たされており、各オゾン発生ユニット３０は冷却水によって冷却される。外側電極管３１の内側に、同心円状に放電管３２が配置されている。
【００４１】
（放電管の構成）
放電管３２は、誘電体管３３や電極膜３４、給電子４０などで構成されている。
【００４２】
（誘電体管）
誘電体管３３は、一方の端部は塞がれていて、他方の端部に開口３３ａを有する円筒状の部材であり、例えばガラスなどで形成されている。誘電体管３３の一般的な寸法としては、全長は長くて２ｍ、外径は１０ｍｍ〜３０ｍｍ程度、肉厚は１ｍｍ〜３ｍｍ程度である。
【００４３】
すなわち、誘電体管３３は、その全長に対して開口３３ａが極めて小さい細長い棒形状である。
【００４４】
誘電体管３３の外周面は、僅かな隙間（放電ギャップ３６）を隔てて外側電極管３１の内周面と対向している。外側電極管３１と放電管３２の電極膜３４との間に高電圧が印加されると、放電ギャップ３６で無声放電が発生する。
【００４５】
誘電体管３３の塞がれた端部は、オゾン室２０に位置し、開口３３ａが有る誘電体管３３の端部は、原料ガス室１８に位置している。無声放電が発生している放電ギャップ３６に、原料ガス室１８から原料ガスが流入することによってオゾンが発生する。発生したオゾンは、オゾン室２０に流出し、オゾン配管１５を通じて供給先に送り出される。
【００４６】
（電極膜）
電極膜３４は、ステンレスのバネ鋼板等の高い弾性を有する金属素材からなる。電極膜３４は、厚みの薄い円筒状に形成されていて、誘電体管３３の内周面に密接して設置されている。
【００４７】
すなわち、このオゾン発生装置１で用いられる電極膜３４は、誘電体管３３の内面にメタライズされたものとは異なり、誘電体管３３とは別に形成されている。そのため、電極３４は、誘電体管３３に着脱可能である。従って、このオゾン発生装置１では、電極膜３４だけを放電管３２から取り外して交換することができる。
【００４８】
詳しくは、電極膜３４は、帯状の導体（帯状導体３５）を用いて形成されている。帯状導体３５は、誘電体管３３の長手方向に位置ずれしながら、誘電体管３３のほぼ全長にわたる範囲に螺旋状に配置されている。そうして、帯状導体３５が、それ自体の弾性力によって径方向に拡がり、誘電体管３３の内周面に密接することにより、電極膜３４が形成されている。
【００４９】
隣り合う帯状導体３５の両縁部３５ａ，３５ａは、互いに重なっているのが好ましいが、隙間なく接していてもよいし、隙間が多少空いていてもよい。すなわち、帯状導体３５は、その幅寸法のピッチより小さいピッチで誘電体管３３の長手方向に位置ずれしながら螺旋状に配置するのが好ましい。
【００５０】
このように、帯状導体３５を用いて電極膜３４を形成することにより、細長い誘電体管３３であっても、その内部に円筒状の電極膜３４を容易に設置することができる。
【００５１】
具体的には、図５の（ａ）に示すように、帯状導体３５は、ロール形態で用いることができる。そのため、帯状導体３５の供給が容易になるし、電極膜３４の誘電体管３３への設置作業が容易になり、量産性に優れる。
【００５２】
ロールから帯状導体３５を引き出してガイド棒Ｇに螺旋状に巻き付ける。ガイド棒Ｇは、誘電体管３３に電極膜３４を設置する際に用いられる補助部材である。ガイド棒Ｇは、誘電体管３３の内径よりも小さい外径を有し、誘電体管３３と同等以上の長さを有している。
【００５３】
帯状導体３５の巻始め側の端部は、ガイド棒Ｇの先端部分に仮止めされる。その仮止めは、帯状導体３５を重ねて巻き付けることによって行ってもよいし、帯状導体３５の仮止めが可能な仮止め部をガイド棒Ｇに設けてもよい。
【００５４】
仮止め部の具体例としては、例えば、ガイド棒Ｇの先端部にスリットを設けて、そのスリットに帯状導体３５を引っ掛けることや、ガイド棒Ｇの先端部に開閉制御可能な挟持手段を設けて、その挟持手段で帯状導体３５を挟み込むことなどが挙げられる。
【００５５】
巻始め側の端部を仮止めさえすれば、その後は、ガイド棒Ｇに螺旋状に巻き付けるだけで、帯状導体３５をガイド棒Ｇに密着して巻き付けることができる。そして、所定の長さまでガイド棒Ｇに帯状導体３５を巻き付けると、帯状導体３５を切断し、図５の（ｂ）に示すように、クリップＣ等を用いて帯状導体３５の巻終わり側の端部をガイド棒Ｇに仮止めする。
【００５６】
帯状導体３５が螺旋状に巻き付けられたガイド棒Ｇは、図６の（ａ）に示すように、その先端側から誘電体管３３に挿入される。そうして、所定位置まで挿入した後、帯状導体３５の両端部の拘束を解きながらガイド棒Ｇを適宜回転させる。
【００５７】
そうすることにより、図６の（ｂ）に示すように、帯状導体３５は、それ自体の弾性力によって拡がり、ガイド棒Ｇから分離して誘電体管３３の内周面に密接する。後は、ガイド棒Ｇを誘電体管３３から引き抜けばよい。
【００５８】
なお、ガイド棒Ｇは必須ではない。帯状導体３５だけをスパイラル状に巻いて誘電体管３３に挿入してもよい。
【００５９】
電極膜３４は、その一部（露出端部３４ａともいう）を開口３３ａからはみ出た状態で誘電体管３３に設置される。なお、露出端部３４ａの縁の部分は、不揃いのままでもよいし、帯状導体３５の重なり具合を調整したり切断することによって揃えてよい。
【００６０】
このオゾン発生装置１では、その露出端部３４ａを利用して、電極膜３４に安定して給電できるように給電子４０が構成されている。
【００６１】
（給電子）
給電子４０は、外部電源３７の高電圧側に接続されて電極膜３４に給電するものであり、図４、図７に示すように、内側クリップ４１や外側クリップ４２などで構成されている。
【００６２】
内側クリップ４１及び外側クリップ４２は、いずれも金属プレス加工、マルチフォーミング、加工冶具などにより形成され、弾性及び電気伝導性に優れている。
【００６３】
外側クリップ４２は、軸方向に一部が分断された円筒状の部材であり、Ｃ字状断面を有している。外側クリップ４２の内径は、外力が作用しない無負荷の状態では、誘電体管３３の内径よりも小さく形成されている。ここで、露出端部３４ａの軸方向の長さＬ２は、０より大きい即ち開口３３ａから露出していれば問題ないが、外側クリップ４２の軸方向の長さＬ１よりも大きい（Ｌ２≧Ｌ１）ことが好ましく、Ｌ２≧２Ｌ１であることがさらに好ましい。
【００６４】
内側クリップ４１も、外側クリップ４２と同様に、Ｃ字状断面を有する円筒状の部材である。内側クリップ４１の外径は、無負荷の状態では、誘電体管３３の内径よりも大きく形成されている。内側クリップ４１の軸方向の長さＬ３は、少なくとも内側クリップ４１の軸方向の長さＬ１よりも大きく形成されている。
【００６５】
外側クリップ４２は、外力を加えて拡径し、内側クリップ４１が挿入されている露出端部３４ａの外側に嵌め合わされれる。そうして外力を取り去ると外側クリップ４２が縮まるため、露出端部３４ａに外側から圧接した状態で外側クリップ４２が電極膜３４の外側に設置される。
【００６６】
内側クリップ４１は、外力を加えて縮径し、先端が誘電体管３３の内部に位置するまで電極膜３４の内側に挿入される。そうして、外力を取り去ると内側クリップ４１が拡がるため、電極膜３４に内側から圧接した状態で内側クリップ４１が電極膜３４の内側に設置される。
【００６７】
その結果、露出端部３４ａは、内側クリップ４１と外側クリップ４２とによって挟み込まれ、内外から圧接された状態となっている。
【００６８】
このように、誘電体管３３の開口３３ａからはみ出た電極膜３４の露出端部３４ａが、内側クリップ４１と外側クリップ４２とで挟み込まれることによって給電子４０と直接的かつ均一に接触している。そのため、電極膜３４に安定して給電することができる。
【００６９】
（オゾン発生効率）
このような螺旋状に形成された電極膜３４を用いることにより、オゾン発生効率も向上させることができる。
【００７０】
すなわち、本出願人は、本発明に先だって、誘電体管に、外部電源に接続されたステンレス等からなる端子棒（給電子に相当）と、一端がこの端子棒に接合された電極膜とで構成された放電管を提案している（特願２０１２−２５３６０６）。
【００７１】
具体的には、端子棒は、誘電体管と同等の長さを有し、そこでの電極膜を構成する金属導体は、長辺が端子棒と同等の長さを有する長方形に形成されている。その金属導体の一方の長辺は、端子棒に接合されていて、金属導体の他方の長辺側の部分が誘電体管の内部で拡がることによって誘電体管の内周面に密着し、円筒状の電極膜が形成されている。
【００７２】
本実施形態の放電管３２は、この放電管と比べた場合に、そのメカニズムは不明であるが、オゾン発生効率が約５％向上するということが確認されている。従って、本実施形態のオゾン発生装置によれば、オゾン発生効率も向上できる。
【００７３】
端子棒も不要になるため、部材コストの削減や、軽量化が図れるという利点もある。特に、放電管が多数設置される大型のオゾン発生装置で有利である。
【００７４】
（給電子間の接続）
図８に簡略化して示すように、各放電管３２の給電子４０は、互いに電気的に接続される。なお、図８では、各給電子４０が直列に接続、つまり、１つの給電子４０が隣接する１つ又は２つの給電子４０と接続されているが、給電子４０間の接続パターンは、仕様に応じて適宜設定される。
【００７５】
また、互いに接続された一群の給電子４０の複数カ所に、リード線４４と電気的に接続された接続端子４３が設けられている。リード線４４は図外にて外部電源３７と電気的に接続されている。これら接続端子４３及びリード線４４を介して外部電源３７から一群の給電子４０に給電が行われる。
【００７６】
これら一群の給電子４０の接続は、隣接する給電子４０の間の隙間が小さいうえに、給電子４０の数が多い場合には、工数が非常に多く、負担の大きな作業となる。
【００７７】
そこで、本実施形態のオゾン発生装置１では、これら給電子４０の接続が容易にできるように、内側クリップ４１及び外側クリップ４２の形状が工夫されている。
【００７８】
（給電子の具体的構成）
まず、図４に示すように、誘電体管３３の開口３３ａから突き出す内側クリップ４１の長さＬ４が、外側クリップ４２の軸方向の長さＬ１の２倍以上となるように、内側クリップ４１が設置されている。２倍以上とするのは、内側クリップ４１に外側クリップ４２を少なくとも２つ以上重ねられるようにするためである。
【００７９】
図９に示すように、外側クリップ４２は、一度に２つの露出端部３４ａを挟み込めるように、２つ連結して一体に形成されている（外側クリップ対４２Ｐともいう）。連なる２つの外側クリップ４２，４２の間には、屈曲した屈曲部４５が設けられている。２つの外側クリップ４２，４２の間の寸法は、隣り合って位置する給電子４０の間のピッチに合わせて設定されている。屈曲部４５が弾性変形するため、多少ピッチがずれても対応できるようになっている。
【００８０】
リード線４４を接続するために、内側クリップ４１の一部は、図１０に示すように、内側クリップ４１に直接接続端子４３が設けられた接続端子付き内側クリップ５２となっている。
【００８１】
内側クリップ４１の一部を接続端子付き内側クリップ５２とすることで、所望する箇所に所望する数だけ、接続端子４３を簡単に設けることができる。
【００８２】
図１１に、これら外側クリップ対４２Ｐを用いて互いに接続されている給電子４０を示す。外側クリップ対４２Ｐは、互いに隣接する２つの露出端部３４ａ，３４ａの部分に嵌め込まれ、それにより、２つの給電子４０，４０が電気的に接続された給電子対が形成される。更に、この給電子対に隣接する２つの露出端部３４ａ，３４ａの部分に、別の外側クリップ対４２Ｐが嵌め込まれ、更に給電子対が形成される。
【００８３】
そうして、形成された２つの給電子対のうち、互いに隣接している２つの給電子４０，４０に対し、外側クリップ対４２Ｐを誘電体管３３の長手方向に重ねるようにして、これら２つの内側クリップ４１，４１の部分を挟み込む。このように、各給電子４０の露出端部３４ａ及び内側クリップ４１の部分に対して、外側クリップ対４２Ｐを互い違いに嵌め込むことにより、多数の給電子４０の接続を簡単に行うことができる。
【００８４】
＜変形例＞
図１２〜図１４に、変形例のオゾン発生装置を示す。本変形例のオゾン発生装置や放電管の基本的な構成は実施形態と同様であるため、同じ機能の構成には同じ符号を用いてその説明は省略する。
【００８５】
本変形例のオゾン発生装置１では、外側クリップ４２単独で用いられ、給電子４０に、別途、図１２や図１３に示すような、架設クリップ５０や接続端子付き架設クリップ５１が備えられている。
【００８６】
架設クリップ５０は、互いに対向して延びる一対の差込脚部５０ａと、これら差込脚部５０ａの一端に架け渡される架設部５０ｂとを有している。架設部５０ｂの中間部には、弾性変形可能な屈曲部５０ｃが形成されている。差込脚部５０ａ，５０ａ間の寸法は、隣り合って位置する給電子４０の間のピッチに合わせて設定されている。詳しくは、差込脚部５０ａ，５０ａ間の大きさは、隣り合って位置する給電子４０の間のピッチよりも僅かに小さく形成されている。
【００８７】
各差込脚部５０ａは、誘電体管３３に設置された内側クリップ４１の内周面及びオゾン発生ユニット３０の形状に合わせて、断面劣弧状に形成されている。
【００８８】
外力を加えて差込脚部５０ａ，５０ａ間を拡げ、各差込脚部５０ａを互いに隣接する２つの内側クリップ４１，４１に差し込むことにより、架設クリップ５０は、これら２つの内側クリップ４１，４１に架設される。そうすることにより、各差込脚部５０ａが各内側クリップ４１の内面に圧着し、両内側クリップ４１，４１は互いに電気的に接続される。屈曲部５０ｃが弾性変形するため、内側クリップ４１，４１間に多少のピッチのずれがあっても問題にならない。
【００８９】
図１３は、接続端子付き架設クリップ５１である。接続端子付き架設クリップ５１では、架設部５０ｂにリード線４４の接続が可能な接続端子４３が一体に設けられている。
【００９０】
図１４に、これら架設クリップ５０及び接続端子付き架設クリップ５１を用いて互いに接続されている給電子４０を示す。架設クリップ５０及び接続端子付き架橋クリップ５１による接続は、互いに隣接する２つの内側クリップ４１，４１に、誘電体管３３の開口３３ａが臨む方向から架設クリップ５０及び接続端子付き架橋クリップ５１を差し込むだけでよいため、作業性に優れる。
【００９１】
架設クリップ５０の一部を、接続端子付き架設クリップ５１とするだけで、接続端子４３も簡単に設けることができる。
【００９２】
さらに、図１５の（ａ）に示すように、外側クリップ４２は、３個以上連結していてもよい。また、図１５の（ｂ）に示すように、架橋クリップ５０も２個以上連結していてもよい。連結数が多いと、作業性や電気抵抗の面で利点がある。特に、これらを１０個や２０個等、多数連なった形態としてもよい。そうすれば、外側クリップ４２等が１個必要であれば１個切り取って使用できるし、２個必要であれば２個切り取って使用できる。必要に応じて必要な分だけ分断して使用できるため、汎用性に優れる。
【００９３】
変形例のオゾン発生装置１において、接続端子付き架設クリップ５１に代えて、第１実施形態のように一部の内側クリップ４１を図１０に示す接続端子付き内側クリップ５２としてもよい。
【符号の説明】
【００９４】
１  オゾン発生装置
３０  オゾン発生ユニット
３１  外側電極管
３２  放電管
３３  誘電体管
３３ａ  開口
３４  電極膜
３４ａ  露出端部
３５  帯状導体
３６  放電ギャップ
４０  給電子
４１  内側クリップ
４２  外側クリップ
Ｇ  ガイド棒
【図１】
2015151310.tif 000003
【図２】
2015151310.tif 000004
【図３】
2015151310.tif 000005
【図４】
2015151310.tif 000006
【図５】
2015151310.tif 000007
【図６】
2015151310.tif 000008
【図７】
2015151310.tif 000009
【図８】
2015151310.tif 000010
【図９】
2015151310.tif 000011
【図１０】
2015151310.tif 000012
【図１１】
2015151310.tif 000013
【図１２】
2015151310.tif 000014
【図１３】
2015151310.tif 000015
【図１４】
2015151310.tif 000016
【図１５】
2015151310.tif 000017